(57)【要約】  【課題】端末のバッテリ切れによって通話が途切れてしまう可能性を低減でき、且つバッテリ切れ端末に対する着信を転送する場合における発信者の待ち時間を短縮できる技術を提供する。  【解決手段】無線ＩＰ内線電話端末１に対して着信があった場合に、この無線ＩＰ内線電話端末１のバッテリ残量が所定値未満ならば、この着信をこの無線ＩＰ内線電話端末１に送信することなく、所定の転送先（ＩＰ内線電話端末１、２）に転送する。したがって、無線ＩＰ内線電話端末１のバッテリ切れによって通話が途切れてしまう可能性を低減できる。また、バッテリ切れを起こした無線ＩＰ内線電話端末１に対する着信を転送する場合における発信者の待ち時間を短縮できる。【選択図】図１
2009044315.tif 000002
【特許請求の範囲】
【請求項１】
バッテリで駆動するバッテリ駆動型電話端末であって、
前記バッテリの残量値を計測するバッテリ残量監視手段と、
前記バッテリ残量監視手段により計測された前記バッテリの残量値が所定値未満となった場合に、自電話端末を収容する主装置に自電話端末に対する着信を予め定められた電話端末あるいは電話端末グループに転送させるための転送設定要求を送信する転送設定要求手段と、を有する
ことを特徴とするバッテリ駆動型電話端末。
【請求項２】
請求項１に記載のバッテリ駆動型電話端末であって、
前記バッテリ残量監視手段により計測された前記バッテリの残量値が前記所定値以上に回復した場合に、前記主装置に自電話端末に対する着信の転送を解除させるための転送解除要求を送信する転送解除要求手段をさらに有する
ことを特徴とするバッテリ駆動型電話端末。
【請求項３】
請求項１又は２に記載のバッテリ駆動型電話端末を含む複数の電話端末と、前記電話端末を収容する主装置と、を有する電話システムであって、
前記主装置は、
前記バッテリ駆動型電話端末に対する着信があった場合に、当該電話端末に対する着信の転送が設定されているならば、本来の着信先情報として当該電話端末の情報を当該着信に付与して、当該着信を、前記予め定められた電話端末あるいは前記電話端末グループに転送し、
前記電話端末は、
着信があった場合に、当該着信に本来の着信先情報が付与されているならば、当該本来の着信先情報を表示する
ことを特徴とする電話システム。
【請求項４】
バッテリで駆動するバッテリ駆動型電話端末を含む複数の電話端末を収容する主装置であって、
前記バッテリ駆動型電話端末から前記バッテリの残量情報を受信する残量情報受信手段と、
前記残量情報受信手段により受信した前記バッテリの残量情報を記憶する残量情報記憶手段と、
前記バッテリ駆動型電話端末に対する着信があった場合に、前記残量情報記憶手段に記憶されている残量情報が示す、前記バッテリの残量値が所定値未満ならば、当該着信を、予め定められた電話端末あるいは電話端末グループに転送する転送手段と、を有する
ことを特徴とする主装置。
【請求項５】
請求項４に記載の主装置であって、
前記転送手段は、
前記バッテリ駆動型電話端末に対する着信を転送する場合に、本来の着信先情報として当該電話端末の情報を当該着信に付与して、当該着信を転送する
ことを特徴とする主装置。
【請求項６】
請求項５に記載の主装置と、バッテリで駆動するバッテリ駆動型電話端末を含む前記主装置に収容された複数の電話端末と、を有する電話システムであって、
前記バッテリ駆動型電話端末は、
自電話端末のバッテリの残量値を示すバッテリの残量情報を前記主装置に送信し、
前記電話端末は、
着信があった場合に、当該着信に本来の着信先情報が付与されているならば、当該本来の着信先情報を表示する
ことを特徴とする電話システム。
【発明の詳細な説明】
【技術分野】
【０００１】
本発明は、バッテリ駆動型電話端末に対する着信処理の技術に関する。
【背景技術】
【０００２】
特許文献１には、移動局携帯者が通話中、あるいは移動局の電源を切断している場合、またはエリア圏外にいる場合に、移動局が所属するエリア内のコードレス電話機に、移動局に対する着信呼を転送する自動転送サービスを行うシステムが開示されている。このシステムによれば、第三者を通じて移動局携帯者に着信を通知することができる。このため、発信者および移動局携帯者に対するサービスが向上する。
【０００３】
【特許文献１】特開平７−５０７２３号公報
【発明の開示】
【発明が解決しようとする課題】
【０００４】
通常、移動局は、バッテリで駆動している。バッテリの残量が少ないと通話中にバッテリ切れを起こしてしまい、通話が途切れてしまう可能性がある。特許文献１に記載の自動転送サービスは、この点を考慮していない。
【０００５】
また、通常、着信に対する移動局からの応答がタイムアウトした場合、この移動局の電源が切断しているか、あるいはこの移動局がエリア圏外にいるものと判断される。したがって、特許文献１に記載の自動転送サービスによれば、電源が切断している移動局に対する着信を転送する場合、まず、この移動局に着信を送出し、この着信に対する移動局からの応答がタイムアウトしてから、この着信を転送する。このため、発信者を長く待たせてしまう。
【０００６】
本発明は上記事情に鑑みてなされたものであり、本発明の目的は、電話端末のバッテリ切れによって通話が途切れてしまう可能性を低減でき、且つバッテリ切れ電話端末に対する着信を転送する場合における発信者の待ち時間を短縮できる技術を提供することにある。
【課題を解決するための手段】
【０００７】
上記課題を解決するために、本発明では、バッテリ駆動型電話端末に対して着信があった場合に、このバッテリ駆動型電話端末のバッテリ残量が所定値未満ならば、この着信をこのバッテリ駆動型電話端末に送信することなく、所定の転送先に転送する。
【０００８】
例えば、本発明は、バッテリで駆動するバッテリ駆動型電話端末であって、
前記バッテリの残量値を計測するバッテリ残量監視手段と、
前記バッテリ残量監視手段により計測された前記バッテリの残量値が所定値未満となった場合に、自電話端末を収容する主装置に自電話端末に対する着信を予め定められた電話端末あるいは電話端末グループに転送させるための転送設定要求を送信する転送設定要求手段と、を有する。
【０００９】
また、例えば、本発明は、バッテリで駆動するバッテリ駆動型電話端末を含む複数の電話端末を収容する主装置であって、
前記バッテリ駆動型電話端末からバッテリの残量情報を受信する残量情報受信手段と、
前記残量情報受信手段により受信したバッテリの残量情報を記憶する残量情報記憶手段と、
前記バッテリ駆動型電話端末に対する着信があった場合に、前記残量情報記憶手段に記憶されている残量情報が示すバッテリの残量値が所定値未満ならば、当該着信を予め定められた電話端末あるいは電話端末グループに転送する転送手段と、を有する。
【発明の効果】
【００１０】
本発明によれば、電話端末のバッテリ切れによって通話が途切れてしまう可能性を低減できる。また、バッテリ切れ電話端末に対する着信を転送する場合における発信者の待ち時間を短縮できる。
【発明を実施するための最良の形態】
【００１１】
以下、本発明をＩＰ内線電話システムに適用した場合を例にとり、本発明の実施の形態について説明する。
【００１２】
［第一の実施の形態］
図１は、本発明の第一の実施の形態が適用されたＩＰ内線電話システムの概略図である。
【００１３】
図示するように、本実施の形態のＩＰ内線電話システムは、少なくとも一台の無線ＩＰ内線電話端末１と、少なくとも一台の有線ＩＰ内線電話端末２と、これらのＩＰ内線電話端末１、２を収容する主装置３と、を有する。有線ＩＰ内線電話端末２および主装置３は、ＬＡＮ５に接続されている。無線ＩＰ内線電話端末１は、アクセスポイント４に無線接続され、このアクセスポイント４を介してＬＡＮ５に接続されている。また、ＬＡＮ５は、ゲートウエイ６を介してＩＰ電話網に接続されている。
【００１４】
無線ＩＰ内線電話端末１は、バッテリで駆動するバッテリ駆動型電話端末である。無線ＩＰ内線電話端末１は、バッテリの残量値が所定値未満となった場合に、自無線ＩＰ内線電話端末１に対する着信を所定のＩＰ内線電話端末あるいはＩＰ内線電話端末のグループに転送させるための転送設定要求を主装置３に送信する。また、バッテリの残量値が所定値以上となった場合に、自無線ＩＰ内線電話端末１に対する着信の転送を解除させるための転送解除要求を主装置３に送信する。また、主装置３からの着信に本来の着信先情報が付与されている場合、この本来の着信先情報を表示する。その他の動作は、既存の無線ＩＰ内線電話端末と同様である。
【００１５】
図２は、無線ＩＰ内線電話端末１の概略構成図である。
【００１６】
図示するように、無線ＩＰ内線電話端末１は、無線通信インターフェース部１１と、ＭＭ（ＭＡＮ  ＭＡＣＨＩＮＥ）インターフェース部１２と、呼制御部１３と、通信制御部１４と、主制御部１５と、無線ＩＰ内線電話端末１の各部１１〜１５に電力を供給するバッテリ１６と、を有する。
【００１７】
無線通信インターフェース部１１は、アクセスポイント４に接続するためのインターフェースである。
【００１８】
ＭＭインターフェース部１２は、通話のためのハンドセットと、電話番号、各種指示の入力を受け付けるための操作部と、各種情報を表示するための表示部と、を備える。
【００１９】
呼制御部１３は、ＳＩＰ（Ｓｅｓｓｉｏｎ  Ｉｎｉｔｉａｔｉｏｎ  Ｐｒｏｔｏｃｏｌ）等の呼制御プロトコルに従い、呼制御処理を行って、通話相手との間に通話パスを確立する。
【００２０】
通信制御部１４は、ＲＴＰ（Ｒｅａｌ−ｔｉｍｅ  Ｔｒａｎｓｐｏｒｔ  Ｐｒｏｔｏｃｏｌ）等の通信プロトコルに従い、呼制御部１３によって確立された通話パスを介して、通話相手と通話データを送受する。
【００２１】
主制御部１５は、自無線ＩＰ内線電話端末１の各部１１〜１４、１６を統括的に制御する。また、バッテリ残量監視部１５１と、転送設定要求部１５２と、転送解除要求部１５３と、を有する。
【００２２】
バッテリ残量監視部１５１は、バッテリ１６のバッテリ残量値を逐次計測して、この計測値の遷移を監視する。そして、この計測値が所定値（後述のＴｈ）以上から上記所定値未満に遷移した場合には、転送設定要求部１５２に転送設定要求の生成を指示する。また、この計測値が上記所定値未満から上記所定値以上に遷移した場合には、転送解除要求部１５３に転送解除要求の生成を指示する。
【００２３】
転送設定要求部１５２は、バッテリ残量監視部１５１から出力された指示に従い、自無線ＩＰ内線電話端末１に対する着信を、ＩＰ内線電話端末１、２のうちの、予め登録されたＩＰ内線電話端末（転送先ＩＰ内線電話端末）あるいはＩＰ内線電話端末グループ（転送先グループ）に転送させるための転送設定要求を生成して、この転送設定要求を、無線通信インターフェース部１１から主装置３へ送信する。
【００２４】
転送解除要求部１５３は、バッテリ残量監視部１５１から出力された指示に従い、主装置３に設定されている転送設定を解除するための転送解除要求を生成して、この転送解除要求を、無線通信インターフェース部１１から主装置３へ送信する。
【００２５】
図３は、無線ＩＰ内線電話端末１の動作を説明するためのフロー図である。
【００２６】
バッテリ残量監視部１５１は、例えば定期的に到来する計測タイミングになると（Ｓ１０でＹＥＳ）、バッテリ１６の残量値を計測し保持する（Ｓ１１）。そして、計測値が所定の閾値Ｔｈ以上から閾値Ｔｈ未満に遷移したか否か、つまり、前回の計測値が閾値Ｔｈ以上であり、今回の計測値が閾値Ｔｈ未満であるとの条件を満たすか否かを判断する（Ｓ１２）。ここで、閾値Ｔｈは、バッテリ１６の残量不足を判断するための閾値である。
【００２７】
計測値が閾値Ｔｈ以上から閾値Ｔｈ未満に遷移した場合（Ｓ１２でＹＥＳ）、すなわち、バッテリ１６の容量が残量不足となった場合、バッテリ残量監視部１５１は、転送設定要求部１５２に転送設定要求の生成を指示する。これを受けて、転送設定要求部１５２は、自無線ＩＰ内線電話端末１に対する着信を、予め登録された転送先ＩＰ内線電話端末あるいは転送先グループに転送させるための転送設定要求を生成し、この転送設定要求を無線通信インターフェース部１１から主装置３へ送信する（Ｓ１３）。
【００２８】
一方、計測値が上記条件を満たさなかった場合（Ｓ１２でＮＯ）、バッテリ残量監視部１５１は、計測値が閾値Ｔｈ未満から閾値Ｔｈ以上に遷移したか否か、つまり、前回の計測値が閾値Ｔｈ未満であり、今回の計測値が閾値Ｔｈ以上であるか否かを判断する（Ｓ１４）。
【００２９】
計測値が閾値Ｔｈ未満から閾値Ｔｈ以上に遷移した場合（Ｓ１４でＹＥＳ）、すなわち、バッテリ１６の容量が回復した場合、バッテリ残量監視部１５１は、転送解除要求部１５３に転送解除要求の生成を指示する。これを受けて、転送解除要求部１５３は、主装置３に設定されている転送設定を解除するための転送解除要求を生成し、この転送解除要求を無線通信インターフェース部１１から主装置３へ送信する（Ｓ１５）。
【００３０】
なお、無線ＩＰ内線電話端末１の呼制御処理および通話処理は、既存のＩＰ内線電話端末の呼制御処理および通話処理と基本的に同様である。但し、主装置３からの着信に本来の着信先情報が付与されている場合、呼制御部１３は、この本来の着信先情報をＭＭインターフェース部１２に表示する。この点、既存のＩＰ内線電話端末と異なる。
【００３１】
図１に戻って説明を続ける。有線ＩＰ内線電話端末２は、主装置３からの着信に本来の着信先情報が付与されている場合、この本来の着信先情報を表示する。その他の動作は、既存の有線ＩＰ内線電話端末と同様である。
【００３２】
主装置３は、転送サービス機能を備えたＩＰ−ＰＢＸ（Ｐｒｉｖａｔｅ  Ｂｒａｎｃｈ  ｅＸｃｈａｎｇｅ）である。
【００３３】
図４は、主装置３の概略構成図である。
【００３４】
図示するように、主装置３は、通信インターフェース部３１と、呼制御部３２と、局データ記憶部３３と、転送設定部３４と、を有する。
【００３５】
通信インターフェース部３１は、ＬＡＮ５に接続するためのインターフェースである。
【００３６】
呼制御部３２は、ＳＩＰ等の呼制御プロトコルに従い、ＩＰ内線電話端末１、２に対する発着信の処理をする。
【００３７】
局データ記憶部３３には、ＩＰ内線電話端末１、２の各々について、この端末の電話番号、ＩＰアドレス、および転送先情報を含む局データが記憶されている。
【００３８】
転送設定部３４は、ＩＰ内線電話端末１、２からの要求に従い、局データ記憶部３３に記憶されているこの端末の局データの転送先情報を更新する。
【００３９】
図５は、主装置３の動作を説明するためのフロー図である。
【００４０】
通信インターフェース部３１は、ＬＡＮ５を介して、無線ＩＰ内線電話端末１から転送設定要求を受信すると（Ｓ３０でＹＥＳ）、この転送設定要求を転送設定部３４に渡す。これを受けて、転送設定部３４は、局データ記憶部３３から、この転送設定要求の送信元である無線ＩＰ内線電話端末１の局データを検索し、この局データの転送先情報に、この転送設定要求で指定されている転送先（ＩＰ内線電話端末、あるいはＩＰ内線電話端末グループ）を設定する（Ｓ３１）。
【００４１】
また、通信インターフェース部３１は、ＬＡＮ５を介して、無線ＩＰ内線電話端末１から転送解除要求を受信すると（Ｓ３２でＹＥＳ）、この転送解除要求を転送設定部３４に渡す。これを受けて、転送設定部３４は、局データ記憶部３３から、この転送解除要求の送信元である無線ＩＰ内線電話端末１の局データを検索し、この局データの転送先情報に設定されている転送先（ＩＰ内線電話端末、あるいはＩＰ内線電話端末グループ）を削除する（Ｓ３３）。
【００４２】
また、通信インターフェース部３１は、ＬＡＮ５を介して、ＩＰ内線電話端末１、２から発信情報を受信したならば（Ｓ３４でＹＥＳ）、この発信情報を呼制御部３２に渡す。これを受けて、呼制御部３２は発信処理を行う（Ｓ３５）。
【００４３】
また、通信インターフェース部３１は、ＬＡＮ５を介して、ＩＰ内線電話端末１、２に対する着信情報を受信したならば（Ｓ３６でＹＥＳ）、この着信情報を呼制御部３２に渡す。これを受けて、呼制御部３２は、局データ記憶部３３から、着信情報の宛先の局データを検索する。そして、検索した局データの転送先情報に転送先が設定されているか否かを判断する（Ｓ３７）。
【００４４】
転送先が設定されている場合（Ｓ３７でＹＥＳ）、呼制御部３２は、この着信情報に本来の着信先（宛先）の情報を付加し、この着信情報をこの転送先に、通信インターフェース部３１を介して送信する（Ｓ３８）。
【００４５】
一方、転送先が設定されていない場合（Ｓ３７でＮＯ）、呼制御部３２は、この着信情報をこの着信情報の本来の着信先（宛先）に、通信インターフェース部３１を介して送信する（Ｓ３９）。
【００４６】
図６は、本発明の第一の実施の形態が適用されたＩＰ内線電話システムの概略動作を説明するためのシーケンス図である。ここでは、無線ＩＰ内線電話端末１に対する着信の転送先として、有線ＩＰ内線電話端末２Ａ、２Ｂのグループが予め定められていることとする。
【００４７】
無線ＩＰ内線電話端末１は、バッテリ不足を検出すると（Ｓ５０１）、自無線ＩＰ内線電話端末１に対する着信を転送先グループ（有線ＩＰ内線電話端末２Ａ、２Ｂ）へ転送させるための転送設定要求を主装置３に送信する（Ｓ５０２）。これを受けて、主装置３は、無線ＩＰ内線電話端末１に対する着信を所定の転送先グループへ転送させるための設定を行う（Ｓ５０３）。
【００４８】
さて、主装置３は、無線ＩＰ内線電話端末１に対する着信情報を受信すると（Ｓ５０４）、この着信情報の転送先が設定されていることを確認し（Ｓ５０５）、この着信情報に本来の着信先情報（無線ＩＰ内線電話端末１）を付加して、設定されている転送先グループ（有線ＩＰ内線電話端末２Ａ、２Ｂ）に、この着信情報を転送する（Ｓ５０６）。
【００４９】
これを受けて、転送先の有線ＩＰ内線電話端末２Ａ、２Ｂは、着信情報に付与されている本来の着信先情報を表示して鳴動する。そして、この呼出しに応答した有線ＩＰ内線電話端末２Ａと通話相手との間に通話パスが形成される（Ｓ５０７）。
【００５０】
通話終了後、無線ＩＰ内線電話端末１は、バッテリ回復を検出すると（Ｓ５０８）、自無線ＩＰ内線電話端末１に対する着信の転送を解除させるための転送解除要求を主装置３に送信する（Ｓ５０９）。これを受けて、主装置３は、無線ＩＰ内線電話端末１に対する着信の転送を解除する（Ｓ５１０）。
【００５１】
さて、主装置３は、無線ＩＰ内線電話端末１に対する着信情報を受信すると（Ｓ５１１）、この着信情報の転送先が設定されていないことを確認し、この着信情報を無線ＩＰ内線電話端末１に送信する（Ｓ５１２）。
【００５２】
これを受けて、無線ＩＰ内線電話端末１が鳴動し、この呼出しに応答することで、無線ＩＰ内線電話端末１と通話相手との間に通話パスが形成される（Ｓ５１３）。
【００５３】
以上、本発明の第一の実施の形態を説明した。
【００５４】
本実施の形態では、無線ＩＰ内線電話端末１に対して着信があった場合に、この無線ＩＰ内線電話端末１のバッテリ残量が所定値未満ならば、この着信をこの無線ＩＰ内線電話端末１に送信することなく、所定の転送先に転送する。したがって、本実施の形態によれば、無線ＩＰ内線電話端末１のバッテリ切れによって通話が途切れてしまう可能性を低減できる。また、バッテリ切れを起こした無線ＩＰ内線電話端末１に対する着信を転送する場合における発信者の待ち時間を短縮できる。
【００５５】
また、本実施の形態では、無線ＩＰ内線電話端末１が、自無線ＩＰ内線電話端末１のバッテリ残量を監視し、このバッテリ残量が所定値以上から所定値未満に遷移した場合に、転送設定要求を主装置３に送信すると共に、このバッテリ残量が所定値未満から所定値以上に遷移した場合に、転送解除要求を主装置３に送信する。このようにすることにより、主装置３として、着信転送サービスを遠隔設定可能な既存の装置を用いることができる。
【００５６】
また、本実施の形態において、主装置３は、着信を転送する場合に、本来の着信先情報を付加して転送先に転送し、転送先のＩＰ内線電話端末１、２は、受信した着信に本来の着信先情報が付与されている場合、この着信先情報を表示する。これにより、ユーザは、どのＩＰ内線電話端末１、２に対する着信の転送であるかを認識することができるので、使い勝手が向上する。
【００５７】
なお、本実施の形態では、無線ＩＰ内線電話端末１をバッテリ駆動型電話端末としているが、有線ＩＰ内線電話端末２もバッテリ駆動型電話端末としてもよい。この場合、有線ＩＰ内線電話端末２の構成は、図２に示す無線ＩＰ内線電話端末１の構成において、無線通信インターフェース部１１の代わりに、ＬＡＮ５に接続するための通信インターフェース部を備えた構成とする。
【００５８】
［第二の実施の形態］
本実施の形態のＩＰ内線電話システムが、図１に示す第一の実施の形態のＩＰ内線電話システムと異なる点は、前述の無線ＩＰ内線電話端末１および主装置３の代わりに、次述の無線ＩＰ内線電話端末１Ａおよび主装置３Ａを設けたことである。その他は、第一の実施の形態のＩＰ内線電話システムと同様である。
【００５９】
無線ＩＰ内線電話端末１Ａは、バッテリで駆動するバッテリ駆動型電話端末である。無線ＩＰ内線電話端末１Ａは、定期的にバッテリの残量値を主装置３Ａに送信する。また、主装置３Ａからの着信に本来の着信先情報が付与されている場合、この本来の着信先情報を表示する。その他の動作は、既存の無線ＩＰ内線電話端末と同様である。
【００６０】
図７は、無線ＩＰ内線電話端末１Ａの概略構成図である。
【００６１】
図示するように、無線ＩＰ内線電話端末１Ａが、図２に示す第一の実施の形態の無線ＩＰ内線電話端末１と異なる点は、バッテリ残量監視部１５１、転送設定要求部１５２、および転送解除要求部１５３に代えて、バッテリ残量通知部１５４を制御部１５に設けたことである。その他は、第一の実施の形態の無線ＩＰ内線電話端末１と同様である。
【００６２】
バッテリ残量通知部１５４は、定期的に、バッテリ１６のバッテリ残量値を計測し、この計測値を含むバッテリ残量通知を無線通信インターフェース部１１から主装置３Ａへ送信する。
【００６３】
主装置３Ａは、転送サービス機能を備えたＩＰ−ＰＢＸである。主装置３Ａは、無線ＩＰ内線電話端末１Ａに対する着信を受信した場合に、無線ＩＰ内線電話端末１Ａから受信したバッテリ残量値に基づいて、この無線ＩＰ内線電話端末１Ａに対する着信の転送の必要性を判断する。そして、転送の必要性ありと判断したならば、この無線ＩＰ内線電話端末１Ａに対する着信情報を受信した場合に、この着信情報に本来の着信先情報（無線ＩＰ内線電話端末１Ａ）を付加して、予め登録されている転送先ＩＰ内線電話端末または転送先グループに転送する。一方、転送の必要性なしと判断したならば、この無線ＩＰ内線電話端末１Ａに対する着信情報を受信した場合に、この着信情報を本来の着信先（無線ＩＰ内線電話端末１Ａ）に送信する。
【００６４】
図８は、主装置３Ａの概略構成図である。
【００６５】
図示するように、主装置３Ａが、図４に示す第一の実施の形態の主装置３と異なる点は、転送設定部３４に代えて転送設定部３５を設けたこと、およびバッテリ残量記憶部３６を新たに設けたことである。その他は、第一の実施の形態の主装置３と同様である。
【００６６】
バッテリ残量記憶部３６には、無線ＩＰ内線電話端末１Ａの最新のバッテリ残量値がこの無線ＩＰ内線電話端末１Ａの識別情報（電話番号、ＩＰアドレス等）に対応付けられて登録される。
【００６７】
転送設定部３５は、通信インターフェース部３１を介して、無線ＩＰ内線電話端末１Ａより受信したバッテリ残量通知により特定されるこの無線ＩＰ内線電話端末１Ａのバッテリ残量値をバッテリ残量記憶部３６に記憶する。また、転送設定部３５は、無線ＩＰ内線電話端末１Ａ毎に、この無線ＩＰ内線電話端末１Ａのバッテリ残量値に基づいて、この無線ＩＰ内線電話端末１Ａに対する着信の転送設定を制御する。
【００６８】
図９は、主装置３Ａの動作を説明するためのフロー図である。
【００６９】
通信インターフェース部３１は、ＬＡＮ５を介して、ＩＰ内線電話端末１Ａ、２から発信情報を受信したならば（Ｓ６０でＹＥＳ）、この発信情報を呼制御部３２に渡す。これを受けて、呼制御部３２は発信処理を行う（Ｓ６１）。
【００７０】
また、通信インターフェース部３１は、ＬＡＮ５を介して、ＩＰ内線電話端末１Ａ、２に対する着信情報を受信したならば（Ｓ６２でＹＥＳ）、この着信情報を呼制御部３２に渡す。これを受けて、呼制御部３２は、局データ記憶部３３から、着信情報の宛先の局データを検索する。そして、検索した局データの転送先情報に転送先が設定されているか否かを判断する（Ｓ６３）。
【００７１】
転送先が設定されている場合（Ｓ６３でＹＥＳ）、呼制御部３２は、この着信情報に本来の着信先（宛先）の情報を付加し、この着信情報をこの転送先に、通信インターフェース部３１を介して送信する（Ｓ６４）。
【００７２】
一方、転送先が設定されていない場合（Ｓ６３でＮＯ）、呼制御部３２は、この着信情報をこの着信情報の本来の着信先（宛先）に、通信インターフェース部３１を介して送信する（Ｓ６５）。
【００７３】
また、通信インターフェース部３１は、ＬＡＮ５を介して、無線ＩＰ内線電話端末１Ａからバッテリ残量通知を受信すると（Ｓ６６でＹＥＳ）、このバッテリ残量通知を転送設定部３５に渡す。これを受けて、転送設定部３５は、この無線ＩＰ内線電話端末１Ａの識別情報に対応付けられてバッテリ残量記憶部３６に記憶されているバッテリ残量値を、このバッテリ残量通知により特定されるバッテリ残量値に更新する。バッテリ残量値がこの無線ＩＰ内線電話端末１Ａの識別情報に対応付けられてバッテリ残量記憶部３６に記憶されていない場合は、このバッテリ残量通知により特定されるバッテリ残量値を、この無線ＩＰ内線電話端末１Ａの識別情報に対応付けてバッテリ残量記憶部３６に新たに登録する（Ｓ６７）。
【００７４】
それから、転送設定部３５は、受信したバッテリ残量通知により特定されるバッテリ残量値がバッテリ残量不足を示す所定の閾値Ｔｈ未満であるか否かを調べる（Ｓ６８）。そして、閾値Ｔｈ未満である場合は（Ｓ６８でＹＥＳ）、局データ記憶部３３を参照し、このバッテリ残量通知の送信元である無線ＩＰ内線電話端末１Ａの局データの転送先情報に、転送先が設定されているか否かをさらに調べ（Ｓ６９）、転送先が設定されていない場合に（Ｓ６９でＹＥＳ）、予め登録されている転送先（ＩＰ内線電話端末１Ａ、２）をこの転送先情報に設定する（Ｓ７０）。
【００７５】
また、転送設定部３５は、受信したバッテリ残量通知により特定されるバッテリ残量値が所定の閾値Ｔｈ以上であるか否かを調べる（Ｓ７１）。そして、閾値Ｔｈ以上である場合、すなわち、バッテリが回復した場合は（Ｓ７１でＹＥＳ）、局データ記憶部３３を参照し、このバッテリ残量通知の送信元である無線ＩＰ内線電話端末１Ａの局データの転送先情報に転送先が設定されているか否かをさらに調べ（Ｓ７２）、転送先が設定されている場合に（Ｓ７２でＹＥＳ）、この転送先をこの転送先情報から削除する（Ｓ７３）。
【００７６】
図１０は、本発明の第二の実施の形態が適用されたＩＰ内線電話システムの概略動作を説明するためのシーケンス図である。無線ＩＰ内線電話端末ＩＰ１Ａのバッテリ１６が残量不足の状態から回復する場合を例に挙げる。
【００７７】
無線ＩＰ内線電話端末１Ａは、バッテリ残量値を測定すると（Ｓ８０１）、この測定値を含むバッテリ残量通知を主装置３Ａに送信する（Ｓ８０２）。これを受けて、主装置３Ａは、バッテリ残量通知のバッテリ残量値がバッテリ不足（＜閾値Ｔｈ）を示していることを確認し、無線ＩＰ内線電話端末１Ａに対する着信を所定の転送先へ転送させるための設定を行う（Ｓ８０３）。
【００７８】
さて、主装置３Ａは、無線ＩＰ内線電話端末１Ａに対する着信情報を受信すると（Ｓ８０４）、この着信情報の転送先が設定されていることを確認し（Ｓ８０５）、この着信情報に本来の着信先情報（無線ＩＰ内線電話端末１Ａ）を付加して、設定されている転送先（ここでは、有線ＩＰ内線電話端末２Ａ、２Ｂ）にこの着信情報を転送する（Ｓ８０６）。
【００７９】
これを受けて、転送先の有線ＩＰ内線電話端末２Ａ、２Ｂは、着信に付与されている本来の着信先情報を表示して鳴動する。そして、この呼出しに応答した有線ＩＰ内線電話端末２Ａと通話相手との間に通話パスが形成される（Ｓ８０７）。
【００８０】
通話終了後、無線ＩＰ内線電話端末１Ａは、バッテリ残量値を測定すると（Ｓ８０８）、この測定値を含むバッテリ残量通知を主装置３Ａに送信する（Ｓ８０９）。これを受けて、主装置３Ａは、バッテリ残量通知のバッテリ残量値がバッテリ回復（≧閾値Ｔｈ）を示していることを確認し、無線ＩＰ内線電話端末１Ａに対する着信の転送を解除する（Ｓ８１０）。
【００８１】
さて、主装置３Ａは、無線ＩＰ内線電話端末１Ａに対する着信情報を受信すると（Ｓ８１１）、この着信情報の転送先が設定されていないことを確認し、この着信情報を無線ＩＰ内線電話端末１Ａに送信する（Ｓ８１２）。
【００８２】
これを受けて、無線ＩＰ内線電話端末１Ａが鳴動し、この呼出しに応答することで、無線ＩＰ内線電話端末１Ａと通話相手との間に通話パスが形成される（Ｓ８１３）。
【００８３】
以上、本発明の第二の実施の形態を説明した。
【００８４】
本実施の形態では、無線ＩＰ内線電話端末１Ａに対して着信があった場合に、この無線ＩＰ内線電話端末１Ａのバッテリ残量が所定値未満ならば、この着信をこの無線ＩＰ内線電話端末１Ａに送信することなく、所定の転送先に転送する。したがって、本実施の形態によれば、無線ＩＰ内線電話端末１Ａのバッテリ切れによって通話が途切れてしまう可能性を低減できる。また、バッテリ切れを起こした無線ＩＰ内線電話端末１Ａに対する着信を転送する場合における発信者の待ち時間を短縮できる。
【００８５】
また、本実施の形態では、主装置３Ａが、無線ＩＰ内線電話端末１Ａのバッテリ残量を監視し、このバッテリ残量に基づいて、無線ＩＰ内線電話端末１Ａに対する着信の転送設定を制御する。このようにすることにより、上記第一の実施の形態とは異なり、無線ＩＰ内線電話端末１Ａにおいて、着信転送の判断を行う必要がなくなる。このため、個々の無線ＩＰ内線電話端末１Ａの構成を簡素化できる。
【００８６】
また、本実施の形態において、主装置３Ａは、着信を転送する場合に、本来の着信先情報を付加して転送先に転送し、転送先のＩＰ内線電話端末１Ａ、２は、受信した着信に本来の着信先情報が付与されている場合、この着信先情報を表示する。これにより、ユーザは、どのＩＰ内線電話端末１Ａ、２に対する着信の転送であるかを認識することができるので、使い勝手が向上する。
【００８７】
また、本実施の形態において、ＩＰ内線電話システム内の全ての無線ＩＰ内線電話端末１Ａのバッテリ残量を主装置３Ａが管理しているので、転送先として予め登録されている無線ＩＰ内線電話端末１Ａのバッテリ残量が所定の閾値Ｔｈ未満である場合には、この無線ＩＰ内線電話端末１Ａへの転送を停止することができる。これにより、予め登録されている転送先でバッテリ切れによって通話が途切れてしまう可能性を低減できる。
【００８８】
なお、本実施の形態では、無線ＩＰ内線電話端末１Ａを、バッテリ不足時に着信が他のＩＰ内線電話端末に転送されるバッテリ駆動型電話端末としているが、有線ＩＰ内線電話端末２も、そのようなバッテリ駆動型電話端末としてもよい。この場合、有線ＩＰ内線電話端末２の構成は、図７に示す無線ＩＰ内線電話端末１Ａの構成において、無線通信インターフェース部１１の代わりに、ＬＡＮ５に接続するための通信インターフェース部を備えた構成とする。
【００８９】
なお、本発明は上記の各実施の形態に限定されるものではなく、その要旨の範囲内で数々の変形が可能である。例えば、無線ＩＰ内線電話端末１、１Ａ、および主装置３、３Ａの各構成は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）などの集積ロジックＩＣによりハード的に実行されるものでもよいし、あるいはＤＳＰ（Ｄｉｇｉｔａｌ  Ｓｉｇｎａｌ  Ｐｒｏｃｅｓｓｏｒ）など計算機によりソフトウエア的に実行されるものでもよい。
【００９０】
また、上記の第一実施の形態において、主装置３の代わりにアクセスポイント４が転送処理を行うようにしてもよい。例えば、アクセスポイント４に、無線ＩＰ内線電話端末１および主装置３の呼制御情報を監視する呼制御監視部と、無線ＩＰ内線電話端末１の電話番号、ＩＰアドレス、および転送先情報を記憶する転送先設定記憶部と、転送処理を実施する転送処理部とを設ける。そして、アクセスポイント４は、無線ＩＰ電話端末１から転送設定要求を受信した場合、以後、当該無線ＩＰ電話端末１への着信を検出したならば、主装置３になり代わり転送処理を実施する。これにより、主装置３に汎用のサーバを用いることができる。なお、第二実施の形態の場合についても同様である。
【００９１】
また、上記の各実施の形態では、本発明をＩＰ内線電話システムに適用した場合を例にとり説明したが、これに限定されない。本発明は、ＩＰ内線電話システム以外の様々な内線電話システムに適用可能である。
【図面の簡単な説明】
【００９２】
【図１】図１は、本発明の第一の実施の形態が適用されたＩＰ内線電話システムの概略図である。
【図２】図２は、無線ＩＰ内線電話端末１の概略構成図である。
【図３】図３は、無線ＩＰ内線電話端末１の動作を説明するためのフロー図である。
【図４】図４は、主装置３の概略構成図である。
【図５】図５は、主装置３の動作を説明するためのフロー図である。
【図６】図６は、本発明の第一の実施の形態が適用されたＩＰ内線電話システムの概略動作を説明するためのシーケンス図である。
【図７】図７は、無線ＩＰ内線電話端末１Ａの概略構成図である。
【図８】図８は、主装置３Ａの概略構成図である。
【図９】図９は、主装置３Ａの動作を説明するためのフロー図である。
【図１０】図１０は、本発明の第二の実施の形態が適用されたＩＰ内線電話システムの概略動作を説明するためのシーケンス図である。
【符号の説明】
【００９３】
１：無線ＩＰ内線電話端末、１Ａ：無線ＩＰ内線電話端末、２：有線ＩＰ内線電話端末、３：主装置、３Ａ：主装置、４：アクセスポイント、５：ＬＡＮ、１１：無線通信インターフェース部、１２：ＭＭインターフェース部、１３：呼制御部、１４：通信制御部、１５：主制御部、１６：バッテリ、３１：通信インターフェース部、３２：呼制御部、３３：局データ記憶部、３４：転送設定部、３５：転送設定部、３６：バッテリ残量記憶部、１５１：バッテリ残量監視部、１５２：転送設定要求部、１５３：転送解除要求部、１５４：バッテリ残量通知部
【図１】
2009044315.tif 000003
【図２】
2009044315.tif 000004
【図３】
2009044315.tif 000005
【図４】
2009044315.tif 000006
【図５】
2009044315.tif 000007
【図６】
2009044315.tif 000008
【図７】
2009044315.tif 000009
【図８】
2009044315.tif 000010
【図９】
2009044315.tif 000011
【図１０】
2009044315.tif 000012